(57)【要約】【課題】外光反射の影響が少なく、コントラストの高い画像を表示可能な表示パネルを提供する。【解決手段】自発光型の発光素子１４ａを含む発光層１４と、発光素子１４ａからの出力光Ｌ１を屈折し、ユーザ９０側に向くように光路を変換する変換層２２と、出力側に配置された円偏光板３８とを有する表示パネルであって、変換層２２の屈折面２１に反射防止膜３１が設けられた表示パネル１０ａを提供する。表示パネル１０ａに侵入した外光Ｌ２は、反射防止膜３１により屈折面２１で多重反射することはなく、表示パネル１０ａの下電極１２で反射された外光Ｌ２は円偏光板３８により、ユーザ９０側へ再び出力されることを防止できる。したがって、外光の影響を抑制し、コントラストの高い表示が可能な表示パネルを提供できる。【選択図】        図２
2004205849.tif 000002
【特許請求の範囲】
【請求項１】
発光素子を含む発光層と、
前記発光素子から出力される出力光を屈折することにより、当該出力光の光路を変換する屈折面を備えた変換層と、
この変換層の出力側に積層された偏光板とを有し、
前記屈折面に反射防止膜が形成されている表示体。
【請求項２】
請求項１において、前記偏光板は、円偏光板である表示体。
【請求項３】
請求項１において、前記反射防止層と前記偏光板との間に、屈折率が１以上であり、前記変換層の屈折率よりも小さい低屈折率層を有する表示体。
【請求項４】
請求項１において、前記変換層は、前記発光素子に対応した部分が出力方向に凸の台形状のプリズムである表示体。
【請求項５】
請求項１において、前記変換層は、前記発光素子に対応した部分が出力方向に凸に湾曲したプリズムである表示体。
【請求項６】
請求項１において、前記変換層は、アレイ状に配置された複数のマイクロレンズを備えている表示体。
【請求項７】
請求項１において、前記変換層は、断面が三角形となる複数の凸部が連続して形成された前記屈折面を備えている表示体。
【請求項８】
請求項７において、前記三角形は相似形である表示体。
【請求項９】
請求項１ないし８のいずれかにおいて、前記発光素子は、有機エレクトロルミネッセンス発光素子である表示体。
【請求項１０】
請求項１ないし９のいずれかに記載の表示体が２次元方向にマトリクス状に配置されている表示パネル。
【請求項１１】
請求項１０に記載の表示パネルと、この表示体の前記発光素子を駆動して画像を表示させる駆動装置とを有する表示装置。
【請求項１２】
発光素子を含む発光層に、透明な変換層を積層する工程と、
前記変換層の表面を、刃を掃引し屈折面を形成する工程と、
その屈折面に反射防止部材を蒸着し反射防止層を形成する工程と、
前記変換層の出力側に偏光板を積層する工程とを有する表示体の製造方法。
【発明の詳細な説明】
【０００１】
【従来の技術】
近年、自発光型のフラットパネルディスプレイ（ＦＰＤ）として、有機ＥＬ素子を用いた表示パネルや、プラズマディスプレイパネル（ＰＤＰ）の開発が進んでいる。
【０００２】
これらの表示パネルでは、発光素子から出力された光が、発光素子をカバーする透明媒質中を伝達し、透明媒質の表面と空気との界面を通して、ユーザに表示光として観測される。発光素子からは、略全ての角度に光が発射されるが、透明媒質の表面と空気との界面で全反射が起こり、多くの光が透明媒質から空気中（外界）にでることができない。これは、透明媒質の屈折率が１より大きいために、外界との界面（パネル表面）において発光素子から射出された光が外界に出力されない臨界角が存在するからである。したがって、発光素子から出力された光のうち、臨界角以上で界面に入射した光は外部に射出されず、限られた割合の光しか表示パネルの出力光として利用できない。自発光型の発光体である有機ＥＬ素子においては、２０％〜３０％程度の光しか表示パネルの外に出せないと言われている。
【０００３】
発光素子から出力された光の利用効率または光の取出効率を向上するために、パネル内部に斜面構造を作り、その斜面により臨界角以上の放射角を持つ光を反射させ、外界との界面に対して臨界角未満の光線あるいは光束に変換し、光の取出効率を上げることが提案されている。
【０００４】
【特許文献１】
特開平１０−１８９２５１号公報
【０００５】
【発明が解決しようとする課題】
特開平１０−１８９２５１号公報には、発光素子の周囲に楔状の反射部材を配置して、発光素子から大きな角度で出力され、臨界角以上で界面に入射されるであろう光の角度を変換する構成が開示されている。しかしながら、このような発光素子の周囲に配置された反射部材は、外界から入射した太陽光や照明光などの外光も反射する。したがって、発光素子が自発光した光に対して、外光が周辺光として出力され、表示部と非表示部のコントラストが確保できなくなるという問題が発生する。さらに、発光素子の背面電極としてアルミニウムなどの反射性の電極を採用している場合も、発光素子以外の光により発光素子に相当する領域が明るくなり、コントラストが低下する要因となる。
【０００６】
このような外光反射を抑制する方法として、表示パネルの表面に円偏光板を貼る方法が提案されている。外光が円偏光板を通り、表示パネルの内に入り反射部材で反射されると、再度、円偏光板に入射したときには円偏光板を通過できず、外光反射を抑制できる。
【０００７】
この偏光板を用いて外光反射を防止する方法は、外光が表示パネルの内部で反射したときに位相がπずれることを利用している。しかしながら、表示パネルの内部の反射部材あるいは反射性の電極で外光が複数回反射し、楕円偏光した光が射出方向あるいは出力側、すなわち、ユーザの方向に向かうと反射した外光の一部が円偏光板を通過するため、発光素子から出力された光ではない光が発光素子の周囲から出力されることになり、発光素子から出力される光のコントラストを減じる要因となる。したがって、円偏光板により外光によるコントラストの低下を減らすことはできるが、十分ではなく、発光素子から出力された光も円偏光板により光量が削減されてしまうことを考えると、外光反射によるコントラスト低下の防止策としては十分とは言えない。
【０００８】
そこで、本発明では、発光素子を備えた表示体において、外光反射を抑制でき、さらに高いコントラストを確保できる表示体およびその製造方法を提供することを目的としている。
【０００９】
そして、高コントラストな表示が可能な表示体を複数並べて表示パネルを構成することにより、輝度が高く、十分なコントラストが得られる大型のフラットディスプレイや携帯機器用の小型のディスプレイなどの表示装置を提供することも本発明の目的である。
【００１０】
【課題を解決するための手段】
外光の反射を防止するためには、外光を反射するものを表示パネル内に配置しないことが好ましい。しかしながら、発光素子からの光が臨界角以下になるような手段がないと、発光素子から出力された光の利用効率は低下してしまう。したがって、本発明においては、マイクロレンズや、Ｖ型の溝を持つプリズムを、発光素子を含む発光層に積層し、発光素子から出力された光が外界との界面に対して臨界角以下となるように入射させる。
【００１１】
この方法は、反射ではなく屈折により光路を変換しているので、発光素子の周囲に反射部材はなく、外光反射によるコントラスト低下を防止できる。さらに、屈折面におけるフレネル反射も防止するために反射防止膜を屈折面に設けても、発光素子から射出された光の利用効率を低下させることはない。したがって、発光素子の周囲から発光素子以外を発光源とする光が出力されるのを防止でき、コントラストを高くできる。しかしながら、反射型の電極等で外光が反射されると、コントラストが低下してしまう。このため、そのような反射光は、偏光板を設けて除去することが好ましい。したがって、反射防止膜が設けられた屈折面と、偏光板との組み合わせにより、表示パネルにおける外光反射の問題は、ほぼ完全に解決することができ、高コントラストの表示が可能な表示パネルを提供できる。
【００１２】
すなわち、本発明の表示体は、発光素子を含む発光層と、発光素子から出力される出力光を屈折することにより出力光の光路を変換する屈折面を備えた変換層と、この変換層の出力側（射出方向）に積層された偏光板とを有し、屈折面に反射防止膜が形成されている。偏光板としては円偏光板を用いることが望ましい。
【００１３】
本発明では、表示体に入り込んだ外光が複数回反射する大きな要因であった光路の変換を、反射防止膜が設けられた屈折面で行っている。したがって、表示体内部において光が多重反射する大きな要因のひとつを、反射面ではなく透過面とすることにより表示体内部における多重反射を防止している。この結果、表示体内部で発光素子から出力された光以外の光が多重反射することがなく、１回反射した光が発生する可能性があるだけになる。そして、そのような１回反射した光であれば、円偏光板を配置することにより表示体から出力されることを効率良く防止することが可能である。このため、本発明の表示体においては、表示体内部に侵入した外光が再び出力されるのを防止することができ、十分にコントラストの高い表示体を提供できる。発光素子の一例は、有機エレクトロルミネッセンス発光素子（有機ＥＬ）、あるいは、例えば、無機ＥＬである。
【００１４】
したがって、本発明の表示体を２次元方向にマトリクス状に配置することにより、高コントラストで鮮明な画像を表示可能な表示パネルを提供できる。そして、本発明の表示パネルと、この表示パネルの発光素子を駆動して画像を表示させる駆動装置とを備えた表示装置により、鮮明な高品質の画像を表示できる表示装置を提供できる。
【００１５】
本発明の表示体の屈折面と円偏光板の間のスペースは屈折率が１以上であり、変換層の屈折率よりも小さい低屈折率層とすることが望ましい。表示体としてユーザに光を供給する以上、空気または真空といった屈折率が１の媒質を経て光が供給されなければいけないので、屈折率が１よりも小さな媒質を間に入れることは光の利用効率を下げることになる。すなわち、屈折率が１より小さな媒質があると、空気と変換層の界面における臨界角よりも大きな臨界角を備えた臨界面が形成される可能性があり、光が外界に出力される量が減少し、光の利用効率が減少する。一方、変換層より屈折率が大きな媒質であると、変換層とその媒質との間には臨界角はないので、光の伝達効率は高くなるが、外界となる空気とその媒質との界面における臨界角は、変換層が空気と接したときの界面における臨界角よりも大きくなる。したがって、この場合も光の利用効率が減少する。このため、変換層よりも外側（出力側）には、屈折率が１以上であり、変換層の屈折率よりも小さい低屈折率層を設けることが望ましい。
【００１６】
発光素子から出力された出力光の界面における角度を変換する屈折面を備えた変換層としては、発光素子に対応した部分が出力方向に凸の台形状のプリズムがある。また、出力方向に凸に湾曲したプリズムであっても良い。さらに、アレイ状に配置された複数のマイクロレンズであっても良い。断面が三角形となる複数の凸部が連続して形成された屈折面であっても出力光の向きを変えることができる。さらに、これら三角形は、互いに相似形とし、大きさやピッチを変えることにより、干渉縞が発生するのを防止できる。
【００１７】
これらの形状の変換層を有する本発明の表示体は、発光素子を含む発光層に、透明な変換層を積層する工程と、変換層の表面を、刃を掃引し屈折面を形成する工程と、その屈折面に反射防止部材を蒸着し反射防止層を形成する工程と、変換層の出力側に円偏光板を積層する工程とを有する方法により、製造することができる。
【００１８】
したがって、本発明により、有機エレクトロルミネッセンス発光素子などの自発光素子により、カラー表示が可能な表示パネルであって、光の利用効率の高い表示パネルを提供できる。また、本発明の表示パネルと、この表示パネルの発光素子を駆動して画像を表示させる駆動装置とを有する表示装置により、鮮明なカラー画像を表示することができる。
【００１９】
【発明の実施の形態】
以下に図面を参照して本発明をさらに詳しく説明する。図１に本発明に係る表示パネルが搭載された表示装置の例として携帯電話機を示してある。本例の携帯電話機１は、データが表示される表示パネル（表示装置）１０ａと、マイクロコンピュータなどから構成される駆動装置９とを備えており、駆動装置９により表示パネル１０ａを構成する有機ＥＬ素子を駆動して光Ｌ１を出力し、文字や画像などをユーザ９０に提供する。
【００２０】
図２に表示体パネル１０ａの一部を拡大した断面図を示してある。表示パネル１０ａは、有機エレクトロルミネッセンス（有機ＥＬ）を発光素子１４ａとする表示体１９が複数個、２次元にアレイ状あるいはマトリクス状に配置されたものである。各々の表示体１９が１つの画素として機能し、駆動装置９によりアクティブマトリックス方式やパッシブマトリックス方式により駆動され、発光する。
【００２１】
各々の表示体１９は、ガラス基板１１と、このガラス基板１１の上に順番に積層された発光素子１４ａを含む発光層１４と、発光素子１４ａからの出力光Ｌ１の光路を変換可能な変換層２２と、円偏光板３８とを備えている。発光層１４は、金属製の、本例ではアルミニウムの陰極電極（下電極）１２と、ＩＴＯ（透明電極）の陽極電極（上電極）１５の間に発光素子１４ａが配置されており、発光素子１４ａは、これら電極１２および１５間に電圧を印加することにより自発的に発光する。そして、発光素子１４ａから出力される出力光（表示光）Ｌ１は、光路を変換する屈折面２１を備えた変換層２２と、この変換層２２の出力側に、基板と対向した位置に配置された円偏光板３８とを通って外界４０に出力される。
【００２２】
また、発光層１４は、発光素子１４ａを分離するポリイミドからなるバンク層１３を備えており、このバンク層１３にアライメントされるようにインクジェット等の技法により有機ＥＬ用の樹脂を塗布することにより表示パネル１０ａを製造できるようになっている。
【００２３】
この表示パネル１０ａの変換層２２は、発光素子１４ａに対応した部分が出力方向（本図では上方向）に凸の台形状のプリズム２３となるように、発光素子１４ａのピッチと同じピッチで周期的に配置された凹凸を備えている。したがって、表示体１９で見ると、発光素子１４ａの上部に台形プリズム２３が配置されており、その台形プリズム２３の表面２１ａおよび２１ｂ、特に傾斜した面２１ｂが屈折面となり、発光素子１４ａから大きな角度で出力された出射光Ｌ１の光路をユーザ９０の方向（出力側または射出方向）に屈折する。本例では、プリズム２３の表面２１ａおよび２１ｂが、円偏光板３８を除いた外界４０との界面となっており、傾斜した面２１ｂを設けて界面の角度を変えることにより出射光Ｌ１においては界面に対する臨界角が大きくなり、発光素子１４ａからの出力光Ｌ１が効率よく外界に出力される。
【００２４】
さらに、本例の表示パネル１０ａにおいては、台形プリズムの表面２１ａおよび２１ｂに沿って反射防止膜３１が製膜されている。なお、本実施の形態では、表面２１ｂ（斜面２１ｂ）上の反射防止膜３１は、空気層に接している。外界４０から表示パネル１０ａに向かう光（外光）Ｌ２は、円偏光板３８を通過した後は、反射防止膜３１があることにより変換層２２の台形プリズム２３の表面２１ａおよび２１ｂにより殆ど反射されることなく透過し、プリズム２３の内部に至る。このため、プリズム２３の表面２１ａおよび２１ｂで外光Ｌ２が外界に向けて反射されることはない。
【００２５】
プリズム２３の表面２１ａおよび２１ｂを透過した外光Ｌ２は、反射性の下電極１２に当たると反射され、再び変換層２２を通過して円偏光板３８に至る可能性がある。しかしながら、この反射された外光２は、電極１２で一回反射されているだけなので、位相がπずれる。このため、反射された光は円偏光板３８を通過せず、一旦プリズム２３から表示パネル１０ａに侵入した外光Ｌ２は出力されない。したがって、この表示パネル１０ａから偏光板３８を通過して出力される光は、発光素子１４ａからの表示光Ｌ１だけとなり、コントラストの高い表示が可能となる。
【００２６】
これに対して、図３に示すように台形プリズム２３の表面２１および２１ｂに反射防止膜がない表示パネル９９を想定すると、台形プリズム２３の斜面２１ｂで反射した外光Ｌ２は、対峙する斜面２１ｂで再び反射して円偏光板３８に到達する可能性がある。このような斜面２１ｂで複数回フレネル反射した光は、楕円偏光となり、したがって、フレネル反射した外光Ｌ２の一部は円偏光板３８を通過し、表示パネル９９からは、発光素子１４ａからの表示光Ｌ１に加えて、多重反射した外光Ｌ２も出力される。このため、コントラストが低下し、鮮明な表示が妨げられる要因となる。
【００２７】
したがって、本例の表示パネル１０ａにおいては、発光素子１４ａから出力される光Ｌ１の取出効率を向上するために光Ｌ１の光路を変更する面２１ｂが反射を必要としない面で良いことに着目し、その面２１ｂに反射防止膜３１をコーティングして透過率を高めることにより、本来不要である外光Ｌ２を表示パネル１０ａの内部に積極的に取り込むようにしている。そして、外光Ｌ２が、表示パネル１０ａの内部で多重反射されるのを防止し、表示パネル１０ａの内部における反射回数をできるだけ１回に限定することにより、円偏光板３８によりフィルタリングできるようにしている。
【００２８】
図４（ａ）〜（ｃ）に、台形プリズム２３を備えた変換層２２の製造方法の一例を示してある。先ず、図４（ａ）に示すように、ベースとなるガラス基板１１上に、アルミニウム等の金属製（反射性）の下電極１２を蒸着する。そして、このアルミニウムの下電極（陰極電極）１２の上にポリイミドでバンク層１３を形成し、このバンク層１３により、陰極電極１２の上面の四方を囲み、この領域内に、インクジェット等の技法により有機ＥＬ発光素子１４ａを積層する。さらに、発光素子１４ａおよびバンク層１３に沿って、ＩＴＯ（透明電極）により上電極（陽極電極）１５を形成する。そして、この表面に、変換層２２（プリズム２３）となるポリカードネート等の透明な、高透過率な樹脂を塗布し、さらに硬化する。
【００２９】
これとは別に、台形状にパターニングされたプリズム形成用のバイト６０を準備する。このプリズム形成用のバイト６０を、硬化された樹脂製の変換層２２に当て、掃引する。この結果、図４（ｂ）に示すように、上方に凸の台形状のプリズム２３の変換層２２が形成される。変換層２２は樹脂に限定されることはなく、酸化シリコン（ＳｉＯ２）のような透明媒質を用いて形成し、その後にバイト６０を用いて台形状のプリズムを形成しても良い。
【００３０】
このように、バイト６０を用いて、変換層２２に直接、溝を入れることで、各発光素子１４ａの配置に合せて、斜面を備えた台形状のプリズム２３からなる変換層２２を形成できる。このため、光の取出し効率の高い変換層２２を形成できる。
【００３１】
次に、図４（ｃ）に示すように、台形状のプリズム２３の上面２１ａおよび斜面２１ｂを含む表面に、薄膜の反射防止膜（ＡＲコート）３１を成膜する。
【００３２】
そして、図４（ｄ）または図２に示したように、反射防止膜３１の上方に、ベース基板１１に対面するように、円偏光板３８を配置することにより、表示体１９がマトリクス状に配置された表示パネル１０ａを得ることができる。そして、この表示パネル１０ａは、上述したように、外光Ｌ２の反射が殆どない、コントラストの高い、鮮明な画像を表示できるパネルとなる。表示パネル１０ａの表面となる円偏光板３８を取り付ける前に、表示パネル１０ａの内部構造となるプリズム２３の表面に反射防止膜３１をコーティングする必要があるが、上述したように、プリズム２３の構造が確定した段階で反射防止膜３１をコーティングできるので、その工程自体を追加することは簡単である。したがって、低コストで、コントラストの高い表示が可能な表示パネル１０ａを提供することができる。
【００３３】
図５に、表示パネルの異なる例を示してある。本例の表示パネル１０ｂは、図２に示した表示パネル１０ａとほぼ同様の構成であり、変換層２２は発光素子１４ａに対応して配置された台形プリズム２３を備えている。そして、台形プリズム２３の表面２１ａおよび２１ｂには反射防止膜３１がコーティングされ、外光Ｌ２が多重反射されるのを防止している。さらに、本例の表示パネル１０ｂは、変換層２２と、円偏光板３８との間の空間が低屈折率層３２により充填されている。低屈折率層３２は、屈折率が１以上で、変換層２２の屈折率以下であることが望ましい。変換層２２が酸化シリコンであれば、屈折率は１．４５程度なので、低屈折率層３２を構成する素材としては、フッ素系ポリマー（屈折率は１．３６〜１．４２）、フッ化マグネシウム（屈折率は１．３８）、シリカエアロゲル（屈折率は１．０８）などが候補として挙げられる。
【００３４】
このような低屈折率層３２を充填することにより、変換層２２と円偏光板３８との隙間を埋めることができるので、表示パネル１０ｂとしての強度は向上する。
【００３５】
一方、低屈折率層３２の屈折率が変換層２２の屈折率よりも大きくなると、屈折面２１ｂはまったく有効に働かず、かえって出力光Ｌ１の角度を大きくすることになる。そして、低屈折率層３２と外界４０との界面の臨界角が変換層２２と外界４０との臨界角より大きくなるので光の取出効率は低下する。本例においては、円偏光板３８が外界４０との界面になるので、円偏光板３８の屈折率により円偏光板３８と外界４０との間の臨界角が支配的になる可能性がある。
【００３６】
さらに、本発明に係る表示パネルにおいて採用可能な変換層２２の形態は図２または図３に示した台形状のプリズム２３に限られない。図６には、上に（光Ｌ１の出力方向）に凸に湾曲した凸レンズ状のプリズム２４からなる変換層２２を備えた表示パネル１０ｃを示してある。この変換層２２においては、凸レンズ２４の略水平な面２１ａが発光素子１４ａに対応して配置され、凸レンズ２４の側方の面２１ｃが屈折面となり出力光Ｌ１の方向をユーザ９０の射出方向（図６の上方、出力側）に変換して取出効率を向上する。また、凸レンズ状のプリズム２１の表面２１ａおよび２１ｃには、反射防止膜３１が形成されており、外光Ｌ２の多重反射を防止して、外光Ｌ２によるコントラストの低下を防止している。
【００３７】
図７に示す表示パネル１０ｄは、周期的にアレイ状に配置された上方（出力方向）に凸のマイクロレンズ２５からなる変換層２２を備えている。このマイクロレンズ２５の表面２１ｄが屈折面となり、発光素子１４ａから出力された出力光Ｌ１の取出効率を向上できる。また、マイクロレンズ２５の表面２１ｄには反射防止膜３１が形成されており、外光Ｌ２がマイクロレンズ２５の表面２１ｄで多重反射することを防止し、外光Ｌ２が出力されてコントラストが低下するのを防止している。
【００３８】
図８に示す表示パネル１０ｅには、周期的にアレイ状に配置された断面が三角形状の微細構造２６ａからなるマイクロプリズム２６が変換層２２として採用されている。この変換層２２においては、マイクロプリズム２６の表面２１ｅが屈折面となり、出力光Ｌ１の取出効率を向上している。そして、マイクロプリズム２６の表面２１ｅに反射防止膜３１がコーティングされており、外光Ｌ２が多重反射することが防がれている。したがって、この表示パネル１０ｅも、発光素子１４ａからの取出効率が高く、外光Ｌ２によるコントラストの低下が防がれており、鮮明な画像を表示できる表示パネルである。
【００３９】
図９に示す表示パネル１０ｆは、図８の表示パネル１０ｅと同様に断面が三角形状の微細構造２７ａからなるマイクロプリズム２７が変換層２２として採用されている。さらに、本例の変換層２２においては、マイクロプリズム２７を構成する断面が三角形の微細構造２７ａは相似形となっており、各々の断面のサイズが異なり、またピッチも異なるようになっている。したがって、マイクロプリズム２７による干渉を抑制でき、モアレ、筋などの画像劣化の要因を除くことができる。そして、マイクロプリズム２７の表面２１ｆには反射防止膜３１が施されており、外光Ｌ２の影響を防止でき、高コントラストの画像を表示することができる表示パネルを提供できる。
【００４０】
このように、本発明により、外光が表示パネル内で多重反射され、その結果、反射防止用の偏光板を透過してしまう事態の発生を防止することができる。上記の例では、偏光板として円偏光板を採用しているが、直線偏光を透過する偏光板と位相差板との組み合わせであっても良い。
【００４１】
したがって、本発明により、高品質で高コントラストの画像を表示可能な表示パネルを提供することが可能である。このため、携帯電話や、携帯型の情報処理端末のように外光のもとで操作されることが多い表示パネルに採用することにより、屋内外、夜昼を問わずに鮮明な画像を表示できる表示装置を提供できる。また、小型の表示装置にかぎらず、３０インチあるいはそれ以上の大型の表示パネルを備えた表示装置においても適用できる。
【００４２】
【発明の効果】
以上に説明したように、本発明においては、発光素子からの出力光を出力して画像を表示する表示パネルにおいて、出力光の取出効率を向上するために光路を屈折面で変換する変換層を採用し、さらに、その屈折面に反射防止膜を設けることで、発光素子からの光の取出効率を維持しつつ、表示パネル内部における外光の多重反射を防止している。したがって、円偏光板などの偏光板を外光反射防止用に設けることにより外光が表示パネル内から再出力されることを防止でき、高いコントラストで画像を表示できる表示体および表示パネルを提供できる。このため、高輝度または明るい画像を表示可能な低コストな表示装置を提供できる。
【図面の簡単な説明】
【図１】本発明に係る表示パネルが搭載された携帯電話機の概要を示す図である。
【図２】本例の表示パネルの概要を示す断面図である。
【図３】屈折面に反射防止膜が施されていない表示パネルを比較のために示す図である。
【図４】図２に示した表示パネルを製造するプロセスの概要を示す図である。
【図５】低屈折率層を備えた、異なる表示パネルの概略を示す断面図である。
【図６】凸レンズ状の変換層を備えた、異なる表示パネルの概要を示す断面図である。
【図７】マイクロレンズを変換層として備えたさらに異なる表示パネルの概要を示す断面図である。
【図８】マイクロプリズムを変換層として備えたさらに異なる表示パネルの概要を示す断面図である。
【図９】異なるマイクロプリズムを変換層として備えたさらに異なる表示パネルの概要を示す断面図である。
【符号の説明】
１    携帯電話機
１０ａ〜１０ｆ    表示パネル
１１    基板
１２    下電極
１３    バンク層
１４    発光層
１４ａ    発光素子
１５    上電極
２１ｂ〜２１ｆ    屈折面
２２  変換層
２３    台形プリズム
２５    マイクロレンズ
２６、２７    マイクロプリズム
３１    反射防止膜
３２    低屈折率層
３８    円偏光板
【図１】
2004205849.tif 000003
【図２】
2004205849.tif 000004
【図３】
2004205849.tif 000005
【図４】
2004205849.tif 000006
【図５】
2004205849.tif 000007
【図６】
2004205849.tif 000008
【図７】
2004205849.tif 000009
【図８】
2004205849.tif 000010
【図９】
2004205849.tif 000011